(57)【特許請求の範囲】
【請求項１】
ユーザインターフェースを介して指定された読み取りモードで動作して、原稿上の画像情報を電気信号として取り出す原稿読み取り手段を備えた画像読み取り装置において、
原稿の一方の面を読み取るための第１読み取り手段と、原稿のもう一方の面を読み取るための第２読み取り手段と、前記第１読み取り手段、及び前記第２読み取り手段への片面読み取りモードにおける電源供給パターンが複数格納された記憶手段と、
前記読み取りモードに基づき、前記記憶手段に格納された電源供給パターンのひとつを選択し、該電源供給パターンに基づき、前記第１読み取り手段、及び前記第２読み取り手段への電源供給を制御する電源制御手段とを有することを特徴とする画像読み取り装置。
【請求項２】
前記第１読み取り手段で読み取られた画像データを補正する第１画像補正手段と、
前記第１画像補正手段によって補正された前記画像データを記憶する第１記憶手段と、
前記第２読み取り手段で読み取られた画像データを補正する第２画像補正手段と、
前記第２画像補正手段によって補正された前記画像データを記憶する第２記憶手段と、
前記第１読み取り手段、前記第１画像補正手段、前記第１記憶手段からなる第１手段系への電源供給を制御する第１電源制御手段と、
前記第２読み取り手段、前記第２画像補正手段、前記第２記憶手段からなる第２手段系への電源供給を制御する第２電源制御手段と、
前記第１記憶手段及び前記第２記憶手段に記憶された画像データの出力を制御する第２制御手段とをさらに有して構成され、
前記第２制御手段は、前記第１記憶手段に記憶された画像データと前記第２記憶手段に記憶された画像データを前記ユーザインターフェースに面順次で転送するように制御し、さらに前記第１制御手段は前記第１電源制御手段及び前記第２電源制御手段を制御して、前記第１手段系及び前記第２手段系への電源供給を制御することを特徴とする請求項１記載の画像読み取り装置。
【請求項３】
前記第１制御手段の制御動作設定は前記ユーザインターフェースを介して行われることを特徴とする請求項１または２記載の画像読み取り装置。
【発明の詳細な説明】
【０００１】
【発明の属する技術分野】
本発明は、画像読み取り装置に関し、特に要求された動作に応じて装置内部の電源供給を制御することで、装置の消費電力を低減することを可能とする画像読み取り装置に関する。
【０００２】
【従来の技術】
近年、電子ファイリングシステム等の画像情報を扱う画像情報処理技術の発達に伴い、文書の電子化が急速に普及している。これにより、いわゆる紙文書を電子化するための画像入力装置においても、高画質化・高速化といった要求に加え、両面原稿に対する読み取り手段への要求も高まっている。更に環境保護やエネルギーの効率的な利用の観点から省電力化が重要な課題になってきており、電力消費をできる限り少なくすることが望まれている。
【０００３】
両面原稿を一度装置にセットすると、両面原稿を一度に読み取ることができる従来例１の画像読み取り装置として特開平３−３５６４号公報の“ファクシミリ装置”がある。本従来例１のファクシミリ装置は、原稿の両面に印刷された画情報を一回の原稿の走査で同時に読み取り、表面と裏面の２枚に分けて送信することを特徴としている。
【０００４】
また、装置待機時の消費電力の低減手段としては、従来例２の特開平３−１２９５０８号公報の“データ処理装置の節電方式”がある。本従来例２のデータ処理装置の節電方式では、アイドリング状態が一定時間経過すると装置の状態を記憶した後電源を遮断し、アイドリング状態が長時間続いたときの無駄な消費電力を低減することを特徴としている。
【０００５】
【発明が解決しようとする課題】
しかしながら、上記の従来例１のファクシミリ装置では、原稿の片面読み取りを行った場合に、読み取りを行わない側の読み取り系で消費される電力は実質的に無駄な電力となるが、読み取りモードに応じた電源供給の制御を行ない、省電力化を行うところまでは言及されていない。
【０００６】
また、このような原稿両面の読み取りが可能な画像読み取り装置では、スループットを維持するため、原稿を反転させる反転機構が搭載されておらず一度の原稿搬送で原稿両面の画像情報を読み取ることを可能にするために、原稿の第１面、第２面それぞれの読み取り面毎に画像情報を一時的に格納するメモリ部を用意して、これらを制御することによりスループットを達成する手段が提案されている。
【０００７】
しかしながら、上記の手段では、原稿上の画像情報を読み取るためのセンサ部から、ユーザインターフェースへ画像データとして転送する直前までの回路構成を２個用意することになる。特に、装置全体の小型化のために原稿の一方の面の読み取りに等倍型密着センサを使用する場合、一般的に等倍型密着センサを高速運転するためには特開平８−２４２３６８号公報において開示されているように１ラインを複数ブロックに分割し、各ブロックのセンサ出力をパラレルに転送する手段が使われることが多く、原稿の両面画像を面順次で転送するためにはこれらのパラレル出力をそれぞれに画像補正等を施した上に１ライン化した後で面として合成するため、回路規模としては必ずしも小さなものではなくなることがある。
【０００８】
すなわち、装置の全体的なサイズとしては原稿の反転機構を有さない分、小型化が図れるものの、電力消費の点から見れば選択された動作モードによっては無駄な電力を消費していることとなる。
【０００９】
本発明は、読み取りモードに応じた電源供給手段を制御することで必要なだけの電力消費を行い、省電力化を実現させる両面読み取りが可能な画像読み取り装置を提供することを目的とする。
【００１０】
【課題を解決するための手段】
かかる目的を達成するために本発明の画像読み取り装置は、ユーザインターフェースを介して指定された動作モードで動作して、光源から光を照射し、読み取り対象となる原稿を照射しながら、その反射光もしくは透過光を光電変換素子で光電変換して、原稿上の画像情報を電気信号として取り出す原稿読み取り手段を備えた画像読み取り装置であり、原稿の一方の面を読み取るための第１読み取り手段と、原稿のもう一方の面を読み取るための第２読み取り手段と、前記第１読み取り手段、及び前記第２読み取り手段への片面読み取りモードにおける電源供給パターンが複数格納された記憶手段と、前記読み取りモードに基づき、前記記憶手段に格納された電源供給パターンのひとつを選択し、該電源供給パターンに基づき、前記第１読み取り手段、及び前記第２読み取り手段への電源供給を制御する電源制御手段とを有することを特徴としている。
【００１１】
また、上記の画像読み取り装置は、前記第１読み取り手段で読み取られた画像データを補正する第１画像補正手段と、第１画像補正手段によって補正された前記画像データを記憶する第１記憶手段と、第２読み取り手段で読み取られた画像データを補正する第２画像補正手段と、第２画像補正手段によって補正された前記画像データを記憶する第２記憶手段と、第１読み取り手段、第１画像補正手段、第１記憶手段からなる第１手段系への電源供給を制御する第１電源制御手段と、第２読み取り手段、第２画像補正手段、第２記憶手段からなる第２手段系への電源供給を制御する第２電源制御手段と、第１記憶手段及び前記第２記憶手段に記憶された画像データの出力を制御する第２制御手段とをさらに有して構成され、第２制御手段は、第１記憶手段に記憶された画像データと第２記憶手段に記憶された画像データをユーザインターフェースに面順次で転送するように制御し、さらに前記第１制御手段は第１電源制御手段及び第２電源制御手段を制御して、第１手段系及び前記第２手段系への電源供給を制御するとよい。
【００１２】
さらに、上記の第１制御手段の制御動作設定はユーザインターフェースを介して行われるとよい。
【００１３】
【発明の実施の形態】
次に添付図面を参照して、本発明の画像読み取り装置の実施の形態を詳細に説明する。図１〜図４を参照すると本発明の画像読み取り装置の一実施形態が示されている。尚、図１は本発明の画像読み取り装置の実施形態を表す全体構成図であり、図２は、メモリ制御部及び画像処理部の構成及び接続関係を表すブロック図であり、図３は原稿第２面読み取り部の構成を表すブロック構成図であり、図４は電源制御部による電源供給制御方法を説明するための図である。
【００１４】
まず、図１を用いて本実施形態の構成及び原稿読み取り動作について説明する。図１において、１は原稿台ガラス、２は第１ミラー、３は照明ランプ、４は第２ミラー、５は第３ミラー、６はＣＣＤ、７は走行体モータ、８は原稿トレイ、９はピックアップローラ、１０はレジストローラ、１１は搬送ドラム、１２は搬送ローラ、１３及び１４は搬送ローラ対、１５は排紙トレイ、１６は搬送モータ、１００はレンズである。
【００１５】
原稿台ガラス１上に置かれた原稿は、第１ミラー２と一体に構成された照明ランプ３により照射され、その反射光は第１ミラー２および、一体に構成された第２ミラー４と第３ミラー５で走査される。その後、この反射光はレンズ１００により光電変換素子であるＣＣＤ６上に集束されることによりＣＣＤ６で光電変換される。  第１ミラー２、照明ランプ３、第２ミラー４および第３ミラー５は、走行体モータ７を駆動源として、図１中に示されたＡ方向に移動可能となっている。
【００１６】
原稿トレイ８に積載された原稿は、ピックアップローラ９、レジストローラ対１０、搬送ドラム１１、搬送ローラ１２により図１中に示された読み取り位置Ｂを経て、排紙ローラ対１３及び１４へ送り込まれ、排紙トレイ１５上に排出される。
【００１７】
原稿は、読み取り位置Ｂを通過する際に、読み取り位置Ｂ近傍に移動、停止されている照明ランプ３により照射され、その反射光は第１ミラー２および、一体に構成された第２ミラー４、第３ミラー５で走査された後、レンズ１００によりＣＣＤ６上に集束され、光電変換される。
【００１８】
ピックアップローラ９、レジストローラ対１０は図示しない給紙モータにより駆動され、搬送ドラム１１、搬送ローラ１２、排紙ローラ対１３および１４は、搬送モータ１６により駆動される。
【００１９】
原稿の両面を読み取る際は、読み取り位置Ｂで原稿の第１面が読み取られた後、原稿搬走路方向に向けられた等倍型密着センサ３１にて原稿の第２面が読み取られ、そのまま排紙ローラ対１３および１４に送り込まれて、排紙トレイ１５上に排出される。
【００２０】
次に図２を用いて本実施形態の画像処理部の構成及び動作について説明する。図２において、ＳＢＵ部１７は、原稿の第一面側の画像情報を読み取りデジタル信号に変換するユニットであり、光の強度に応じた電圧値を持つアナログ信号に変換するＣＣＤ６、アナログ信号から暗電位部分を取り除くＡＨＰ１９、アナログ信号をデジタル信号に変換するＡ／Ｄコンバータ２１とを有して構成される。
【００２１】
ＳＤＵ部２３は、走行体モータ７を駆動するドライバ２４とランプ３の点灯を制御するランプ安定器２５とを有して構成され、ＳＣＵ部２０から送られたタイミング信号に基づいて走行体を駆動する。
【００２２】
また、ＲＣＵ部３４は裏面ビデオ信号を書き込むＤＲＡＭ３７と、そのＤＲＡＭ３７を制御管理するＳＢＣ３６と、ＲＳＢＵ部３０から入力されたデジタル信号にシェーディング補正、ガンマ補正、ＭＴＦ補正等を行い、さらに２値化処理を施し、ページ同期信号、ライン同期信号、画素クロックと共にビデオ信号として出力するＳＩＰ３（３５）等を有して構成され、原稿の両面を同時に読み取る際に、原稿の裏面読み取りを制御するユニットである。
【００２３】
ＰＳＵ部２２は商用電源から直流電圧を生成し、ＭＢＵ１８を経由して画像読み取り装置内の各電装部品に電源を供給する。
【００２４】
ＡＤＵ部４４は自動原稿給送機構（以下、ＡＤＦという）部に用いる電装部品の電力供給や、給紙モータ４０や搬送モータ４１のドライバ４２及び４３を搭載して、ＡＤＦ上に載置されるセンサ類のセンサ信号を中継する。
【００２５】
ＩＥＵ部４８は、ＳＣＵ部２０から送られたビデオ信号に所定の画像処理を施し、処理を施した信号をＳＣＵ部２０に返す。
【００２６】
ＤＣＵ部５７はＳＣＵ部２０から送られた画像データを圧縮する機能を有している。
【００２７】
ＳＣＵ部２０は、ＳＢＵ部１７によってビデオ信号に変換された信号を入力して、シエーディング補正、ガンマ補正、ＭＴＦ補正等を施し、２値化されページ同期信号、ライン同期信号と共にビデオ信号として出力するＳＩＰ３（４５）、ＣＣＤ６によって読み取られ、ＳＩＰ３（４５）によって画像処理を施されたビデオ信号を書き込むＤＲＡＭ５４、ＤＲＡＭ５４を制御管理するＳＢＣ５３、ＳＣＳＩコントローラ５９を介してホストコンピュータとの通信やステッピングモータである走行体モータ７、給紙モータ４０、搬送モータ４１等の駆動部品の駆動タイミング制御を行うＣＰＵ６１、制御データを格納したＲＯＭ６２、ホストコンピュータからの情報の書き込み／読み出しをおこなうＲＡＭ６３、複数のセレクタ４６、４９、５０、５８、などによって構成されている。
【００２８】
次に上記構成による信号処理動作について説明する。
ＳＢＵ部１７上のＣＣＤ６に入光した原稿表面の反射光は、ＣＣＤ６内で光の強度に応じた電圧値を持つアナログ信号に変換される。アナログ信号は、奇数ビット、偶数ビットに別れてＣＣＤ６から出力される。このアナログ信号は、ＡＨＰ１９で暗電位部分が取り除かれ、奇数ビットと偶数ビットが合成され、所定の振幅にゲイン調整された後に、Ａ／Ｄコンバータ２１に入力され、所定のリファレンス電圧によってデジタル信号に変換される。
【００２９】
デジタル化された画像信号は、ＭＢＵ部１８を経由してＳＣＵ部２０上のＳＩＰ３（４５）でシェーディング補正、ガンマ補正、ＭＴＦ補正等が行われた後、２値化され、ページ同期信号、ライン同期信号、画素クロックと共にビデオ信号として出力される。
【００３０】
ＳＩＰ３（４５）から出力されたビデオ信号は、コネクタ４７を介してＩＥＵ部４８へ出力されている。ＩＥＵ部４８へ出力されたビデオ信号は、ＩＥＵ部４８内で所定の画像処理が施され、再びＳＣＵ部２０へ入力される。
【００３１】
ＳＣＵ部２０へ戻されたビデオ信号は、セレクタ４６に入力される。セレクタのもう一方の入力はＳＩＰ３（４５）から出力されたビデオ信号となっていて、ＩＥＵ部４８上で画像処理を行うか、行わないかを選択できる構成となっている。
【００３２】
セレクタ４６の出力は、セレクタ４９に入力される。セレクタ４９からのビデオ出力信号はセレクタ５０とコネクタ５１に接続される。セレクタ５０のビデオ出力信号は、ＳＢＣ５３に入力される。以上の経過を経て、ＳＩＰ３（４５）から出力されたビデオ信号は、ＤＲＡＭ５４を管理するＳＢＣ５３に入力され、ＳＩＭＭ５５を含めてＤＲＡＭから構成される画像メモリに蓄えられる。
【００３３】
また、原稿裏面の画像情報は、ＡＤＦ内の所定の位置に載置された等倍型密着センサ３１によって読み取られ、この等倍型密着センサ３１の出力信号はＲＳＢＵ部３０上のＡＨＰ３２によりゲイン調整等を施された後、Ａ／Ｄコンバータ３３によりデジタル信号に変換され、ＲＣＵ部３４に出力される。その後、ＲＣＵ部３４上のＳＩＰ３（３５）で補正等が行われた後に裏面ビデオ信号として、ＳＢＣ３６によって制御管理されているＤＲＡＭ３７とＳＩＭＭ３８で構成されている画像メモリを利用しながらＭＢＵ部１８を経由してＳＣＵ部２０上のセレクタ４９に入力される。
【００３４】
ＲＣＵ部３４は原稿の両面を同時に読み取る際に、原稿の裏面読み取りを制御するユニットである。ＲＣＵ部３４は、ＳＣＵ部２０内のＣＰＵ６１により制御され、読み取った裏面画像データをビデオ信号としてＭＢＵ部１８を経由してＳＣＵ部２０内のセレクタ４９に出力される。
【００３５】
セレクタ４６の出力は、セレクタ４９に入力される。セレクタ４９のもう一方の入力はＲＣＵ部３４からのビデオ信号となっており、原稿の読み取り面を選択できる構成になっている。
【００３６】
セレクタ４９からのビデオ出力信号は、セレクタ５０とコネクタ５１に接続されている。セレクタ５０のもう一方の入力は、ビデオアダプタ５２からのビデオ信号となっている。以上の構成により、コネクタ５１の先にビデオアダプタ５２の接続が可能となる。
【００３７】
画像メモリに蓄えられた画像データは、セレクタ５８およびコネクタ５６に出力される構成をとる。コネクタ５６にはＤＣＵ部５７が接続されており、ＤＣＵ部５７では入力された画像データを圧縮する機能を持たせている。
【００３８】
ＤＣＵ５７上で圧縮された画像データは、セレクタ５８のもう一方の入力となり、画像データを圧縮するか、しかないかを選択できる構成となっている。セレクタ５８からの画像データ出力は、ＳＣＳＩコントローラ５９、コネクタ６０を介してホストコンピュータに送られる。
【００３９】
ＳＣＵ部２０上にはＣＰＵ６１、ＲＯＭ６２、ＲＡＭ６３等が実装されており、ＳＣＳＩコントローラ５９を介してホストコンピュータとの通信を行う。また、ＣＰＵ６１はステッピングモータである走行体モータ７、給紙モータ４０、搬送モータ４１等の駆動部品の駆動タイミング制御も行っている。
【００４０】
ＳＤＵ部２３上には走行体モータ７のドライバ２４とランプ３の点灯を制御するランプ安定器２５が搭載されている。
【００４１】
ＡＤＵ部４４は、ＡＤＦ部に用いる電装部品の電力供給や、給紙モータ４０や搬送モータ４１のドライバ（４２および４３）を搭載すると共に、ＡＤＦ上に載置されるセンサ類のセンサ信号を中継する。また、ＳＤＵ部２３およびＡＤＵ部４４は、ＳＣＵ部２０から送られたタイミング信号に基いて走行体やＡＤＦを駆動させる機能を有する。
【００４２】
図示しない電源制御部６４はユーザインターフェースを介して指定された読み取りモードに従い、第１の読み取り系であるＳＤＵ部２３、ＳＢＵ部１７等と、第２の読み取り系である等倍型密着センサ３１、ＲＣＵ部３４等やＡＤＵ部４４に対する電源の供給経路を制御する機能を有する。
【００４３】
ＰＳＵ部２２は商用電源から直流電圧を生成し、ＭＢＵ部１８を経由して画像読み取り装置内の各電装部品に電源を供給する。
【００４４】
尚、原稿裏面読み取り用の等倍型密着センサ３１は、原稿表面に光を照射する光源と、原稿からの反射光を集束させるレンズアレイと、センサ素子アレイとで構成されている。
【００４５】
図３は、本発明に係る画像読み取り装置における原稿第２面読み取り部を概略的に示したブロック図である。図３において、３１は原稿第２面の画像情報を読み取るセンサ素子としての等倍型密着センサである。光源としてのランプ３１５はＬＥＤアレイやキセノン管が使用され、センサチップとランプの駆動は駆動部３１６にて行われる。これらは、モジュールとして一体化されている。等倍型密着センサ３１の高速駆動を実現させるために、センサの１ラインを複数のブロックに分割させ、各ブロックのセンサ出力をパラレルに出力させることになる。
【００４６】
また、３０１から３０４は等倍型密着センサから出力されたアナログ信号に所定のゲイン調整を施し、さらに所定のクロックでサンプルホールドを施すＡＭＰ、３３Ａから３３Ｄは所定のリファレンス電圧に従ってＡ／Ｄ変換を施すＡ／Ｄコンバータ、３０９から３１２はデジタル化された画像データを記憶するＦＩＦＯ（Ｆｉｒｓｔ−ＩＮ  Ｆｉｒｓｔ−Ｏｕｔ）、３４はＦＩＦＯから出力された画像データに画像処理を施す画像補正・処理部（ＲＣＵ部３４）、２０は第一面側の画像メモリであるＤＲＡＭ５４及び第二面側の画像メモリであるＤＲＡＭ３７を画像メモリとして、第１面側の画像データと第２面の画像データを交互に（面順次に）ユーザインターフェースに対して転送するように制御するメモリ制御部（ＳＣＵ部２０）である。
【００４７】
次に上記構成による動作例を説明する。
等倍型密着センサ３１から出力される、画像情報の乗ったアナログ信号はＡＭＰ（３０１〜３０４）で所定のゲイン調整が行われ、所定のクロックでサンプルホールドされた後、Ａ／Ｄコンバータ（３３Ａ〜３３Ｄ）で、所定のリファレンス電圧に従ってＡ／Ｄ変換される。
【００４８】
デジタル化された画像データは等倍型密着センサ３１から出力されるアナログ信号と同一のスピード（本実施例では５ＭＨｚ）でＦＩＦＯ（３０９〜３１２）に書き込まれる。また、ＦＩＦＯ（３０９〜３１２）からの読み出しは、１ラインとしてのデータレート（本実施例では５ＭＨｚ×４ｃｈ＝２０ＭＨｚ）で行われる。
【００４９】
原稿両面の画像データを面順次で転送するためには、等倍型密着センサ３１から各ブロックのセンサ出力をパラレルに出力されたセンサ出力信号（ビデオ信号）を１ライン化（シリアル化）する必要がある。
【００５０】
なお、本実施形態では、等倍型密着センサ３１の各出力ｃｈ毎に２個のＦＩＦＯを用意し、交互に読み書きを行うことで、画像データの速度変換および１ライン化（パラレル−シリアル変換）を行っている。
【００５１】
一旦１ライン化された画像データ（本実施例ではデータレート２０ＭＨｚ）は、画像処理部であるＲＣＵ部３４に入力される。本実施例では、画像処理部であるＲＣＵ部３４の入力を偶数画素、奇数画素に分散して構成としているため、１ラインにシリアル化された画像データを偶奇画素列にパラレル化させる。
【００５２】
画像処理部であるＲＣＵ部３４では、シェーディング補正、γ補正等が行われた後、一旦ＤＲＡＭ３７に格納し、メモリ制御部であるＳＣＵ部２０に対して出力される。メモリ制御部であるＳＣＵ部２０は第一面側の画像メモリであるＤＲＡＭ５４及び第二面側の画像メモリであるＤＲＡＭ３７を画像メモリとして、第１面側の画像データと第２面の画像データを交互に（面順次に）ユーザインターフェースに対して転送するために、ＤＲＡＭ３７の管理制御装置であるＳＢＣ３６を制御する。
【００５３】
尚、等倍型密着センサ３１を用いて小型化に重点を置いた両面原稿が読み取り可能な画像読み取り装置を構成した場合、装置全体としての大きさは従来の片面読み取り専用の画像読み取り装置と同等にすることは可能であるが、回路としてはそれなりの規模を有し、また画像読み取り装置としての高スループットが要求された場合は等倍型密着センサ３１は更に細分化（５ｃｈ出力や６ｃｈ出力）されることが考えられる。これに伴い、画像データを１ライン化するまでの構成も等倍型密着センサ３１の出力ｃｈ数分必要になるため、さらに回路が大型化することになる。
【００５４】
図４は、本発明に係る画像読み取り装置の電源供給の制御方法を概略的に示した図である。ＳＣＵ２０と接続されているユーザインターフェースから原稿読み取りコマンドと共に、動作モードの指示を受けると、ＳＣＵ２０上のＲＯＭ６２に予め格納されたデータを元に電源制御用の信号を電源制御部６４に送る。電源制御部６４はＳＣＵ２０からの信号を受けると、受け取った信号の内容によりスイッチ１（１０１）、スイッチ２（１０２）、スイッチ３（１０３）のＯＮ／ＯＦＦ組み合わせを制御して、ユーザインターフェースを介して要求された動作モードを実現するのに必要最低限の読み取り系にのみ電源を供給するように制御する。
【００５５】
例えば、スイッチ１（１０１）、スイッチ２（１０２）、スイッチ３（１０３）の組み合わせとて、表１のＯＮ／ＯＦＦ組み合わせを実現することにより以下に示す読み取りモードを実現することができる。
【００５６】
【表１】
0003638202.tif 000002
【００５７】
表１中の▲１▼は、両面読み取りモードが選択された時のスイッチ１（１０１）、スイッチ２（１０２）、スイッチ３（１０３）の組み合わせである。両面読み取りモードの場合、原稿の一方の面を第１の読み取り光学系で読み取り、もう一方の面を第２の読み取り光学系で読み取る。
【００５８】
本実施形態では、この両面読み取りモードは自動原稿給紙機構（ＡＤＦ）に形成された原稿搬走路を搬送させることで実現できるように構成されている。この時の第１の読み取り光学系は、図２に記すＳＢＵ部１７上のＣＣＤ６を読み取りセンサとして、一体化されたランプ３と第１ミラー２、および一体化された第２ミラー４と第３ミラー５を一定位置（読み取り位置Ｂ付近）に固定させることで構成される。第２の読み取り系はＡＤＦの原稿搬走路部分に載置された等倍型密着センサ３１及びＲＳＢＵ部３０にて構成される。
【００５９】
表中の▲２▼〜▲４▼は、原稿の片面のみを読み取るモードが選択された場合のスイッチ１（１０１）、スイッチ２（１０２）、スイッチ３（１０３）の組み合わせである。本実施例の画像読み取り装置では３種類の片面原稿読み取り方式が考えられる。
【００６０】
▲２▼の片面読み取りモードは、原稿台ガラス１上に原稿を載置させ、ランプ３と第１ミラー２、第２ミラー４と第３ミラー５を走査させながら反射光をＳＢＵ部１７上のＣＣＤ６で読み取る方式である。この時は、ＡＤＦと、ＲＣＵ部３４をはじめとする第２の読み取り系は不要であり、これらに供給される電力は実質的に無駄となるため、スイッチ１（１０１）およびスイッチ２（１０２）をＯＦＦにすることで電源の供給を遮断する。
【００６１】
▲３▼の片面読み取りモードは、自動原稿給紙機構（ＡＤＦ）にて原稿を搬送させながら、第１の読み取り系、すなわちランプ３と第１ミラー２、第２ミラー４と第３ミラー５により、これらを読み取り位置Ｂ近傍に固定させて読み取る。この時は、原稿の搬送はＡＤＵ部４４を介して行われ、ランプの点灯はＳＤＵ部２３にて行われるため、スイッチ２（１０２）とスイッチ３（１０３）はＯＮ状態に保持されるが、ＲＣＵ部３４をはじめとする第２の読み取り系は使用しておらず、電源が供給されていたところで実質的に無駄な電力となるため、スイッチ１（１０１）により電源の供給を遮断する。
【００６２】
▲４▼の片面読み取りモードは、ＡＤＦにて原稿を搬送させながら、第２の読み取り系、すなわち等倍型密着センサ３１で画像情報を読み取る。この時は自動原稿給紙機構（ＡＤＦ）の駆動はＡＤＵ部４４を介して行われ、原稿の読み取りはＲＣＵ部３４をはじめとする第２の読み取り系で行われるものの、第１の読み取り系、すなわちＳＢＵ部１７と、ランプ３や走行体モータ７を駆動させるＳＤＵ部２３は未使用のため、これらに電源が供給されていても実質的に無駄な電力となってしまうために、これらへの電源供給を遮断すべく、スイッチ３（１０３）をＯＦＦ状態にする。
【００６３】
▲５▼は装置待機状態におけるスイッチ１（１０１）、スイッチ２（１０２）、スイッチ３（１０３）の状態を示す。装置待機状態は、第１の読み取り系、第２の読み取り系、ＡＤＦは動作しておらず、これらに電源を供給したところで所詮無駄な電力となってしまうだけである。したがって、装置待機時はこれらへの電源供給を遮断すべく、スイッチ１（１０１）、スイッチ２（１０２）、スイッチ３（１０３）はＯＦＦ状態に保持される。なお、スイッチ１（１０１）、スイッチ２（１０２）、スイッチ３（１０３）としては、トランジスタ等のスイッチング素子、もしくはリレーが使用される。
【００６４】
ＡＤＦには原稿有無センサや等のセンサ素子が組み込まれているが、これらのセンサ素子への電源供給等は図２に記載のようにＭＢＵ１８から直接行っておけば、たとえ装置待機状態にあってもユーザがＡＤＦに原稿をセットしたかどうかの検知は行えるため、この信号をＣＰＵ６１は常時検知できるので、装置の待機モードから動作モードへの移行はスムーズに行える。
【００６５】
【発明の効果】
以上の説明より明らかなように本発明の画像読み取り装置によれば、原稿の一方の面を読み取るための第１手段系と、原稿のもう一方の面を読み取るための第２手段系と、これら２つの手段系への電源供給を制御する第１制御手段とを具備し、ユーザインターフェースを介してユーザに要求された読み取り動作モードに応じて、その読み取りモードを実現するために必要な読み取り手段系にのみ電源供給が行えるため、全体として画像読み取り装置の消費する電力を低減でき、省電力化に寄与することが可能になる。
【００６６】
また、選択された動作モードに応じた読み取り手段系へのみの電源供給を行うことで、装置として必要最小限の電力消費に抑えることが可能になると共に、不要な部分からの不要な電力消費による装置内部の温度上昇を緩和することが可能となり、特に温度に対して繊細な部品（ＣＣＤなど）の信頼性を確保することが可能になる。
【図面の簡単な説明】
【図１】本発明の画像読み取り装置の実施形態を表す全体構成図である。
【図２】メモリ制御部及び画像処理部の構成及び接続関係を表すブロック図である。
【図３】原稿第２面読み取り部を概略的に示したブロック図である。
【図４】電源制御部による電源供給制御方法を説明するための図である。
【符号の説明】
１７  ＳＢＣ
１８  ＭＢＵ
２０  ＳＣＵ
２２  ＰＳＵ
２３  ＳＤＵ
３０  ＲＳＢＵ
３１  密着センサ
３４  ＲＣＵ
４４  ＡＤＵ
４８  ＩＥＵ
５７  ＤＣＵ
６４  電源制御部
３０９、３１０、３１１、３１２  ＦＩＦＯ
【図１】
0003638202.tif 000003
【図２】
0003638202.tif 000004
【図３】
0003638202.tif 000005
【図４】
0003638202.tif 000006